(57)【特許請求の範囲】
【請求項１】
糊液の温度制御のために水蒸気源からの高温高圧の水蒸気を加熱用の噴射ノズルから糊液に噴射させることにより糊液を加熱する糸糊付け機に設けられ、糊液に接触する検出面を有し、糊液の糊濃度を検出する接触式糊濃度計において、
供給パイプを介して上記水蒸気源に接続され検出面に対向する清浄用の噴射ノズルを加熱用の噴射ノズルとは別に設けると共に、加熱用の噴射ノズルに水蒸気を供給する開閉弁とは別の開閉弁を上記検出面の清浄制御用として上記供給パイプに設け、検出面の清浄時に、水蒸気が上記水蒸気源から清浄制御用の開閉弁を介して清浄用の噴射ノズルに供給され、検出面に向けて噴射されることにより、検出面を清浄することを特徴とする糊濃度計の清浄装置。
【請求項２】
接触式糊濃度計を光学式糊濃度計として構成することを特徴とする請求項１記載の記載の糊濃度計の清浄装置。
【請求項３】
接触式糊濃度計の検出値を非清浄動作時のみに有効な糊濃度とすることを特徴とする請求項１または請求項２記載の糊濃度計の清浄装置。
【発明の詳細な説明】
【０００１】
【発明が属する技術分野】
本発明は、糸糊付け機の接触式糊濃度計において、接触式糊濃度計の検出面を清浄する装置に関する。
【０００２】
【従来の技術】
糊濃度計として、糊濃度計の検出面が糊液に浸って接触する接触式糊濃度計があり、また、接触式糊濃度計として光学式糊濃度計がある。光学式糊濃度計は、プリズムを内蔵し、このプリズム外側の糊液側プリズム面を検出面とし、この検出面を糊液に接触させている。
【０００３】
糊濃度の測定時に、光学式糊濃度計は、検出面を測定対象の糊液に接触させ、検出面に光を照射して、糊液の屈折率よりも大きい屈折率のプリズム内部の反糊液側プリズム面から糊液へ入射させ、反糊液側のプリズム面で全反射する入射角と、反糊液側プリズム面で屈折して糊液中を進む入射角との間の臨界入射角を測定して、プリズムに対する糊液の屈折率を測定し、この屈折率から糊液の密度を検出する。糊濃度は、糊液の密度に比例するので、糊濃度は、糊液の密度から検出できる。
【０００４】
【発明が解決しようとする課題】
上記の技術では、検出面の近傍を流れる糊液の糊成分などが光学式糊濃度計の検出面に付着し、付着した糊液は、流れている実際の糊液と異なる高濃度の糊液層を形成し、次第に高濃度となると共に厚みを増す。このため、糊濃度計は、時間の経過とともに、高濃度糊液層の影響を受けて、正確な糊濃度を検出できなくなる。また、高濃度糊液層は、厚みを増した時に検出面から剥がれることから、糊濃度検出は、非常に不安定となり、糊濃度の管理を困難にする。
【０００５】
したがって、本発明の目的は、糸糊付機の糊液の接触式糊濃度計において、接触式糊濃度計の検出面に糊成分等などが付着することにより、糊濃度の正確な測定が妨げられるのを防止できるようにすることである。
【０００６】
【課題を解決するための手段】
上記目的のもとに、本発明は、糊液の温度制御のために水蒸気源からの高温高圧の水蒸気を加熱用の噴射ノズルから糊液に噴射させることにより糊液を加熱する糸糊付け機に設けられ、糊液に接触する検出面を有し、糊液の糊濃度を検出する接触式糊濃度計において、供給パイプを介して上記水蒸気源に接続され検出面に対向する清浄用の噴射ノズルを加熱用の噴射ノズルとは別に設けると共に、加熱用の噴射ノズルに水蒸気を供給する開閉弁とは別の開閉弁を上記検出面の清浄制御用として上記供給パイプに設けている。
【０００７】
検出面の清浄時に、水蒸気は上記水蒸気源から清浄制御用の開閉弁を介して清浄用の噴射ノズルに供給され、検出面に向けて噴射され、これにより検出面を清浄する。
【０００８】
接触式糊濃度計は光学式糊濃度計として構成される。
【０００９】
また、接触式糊濃度計の検出値は非清浄動作時のみに有効な糊濃度とする。
【００１０】
【発明の実施の形態】
図１は、本発明の糊濃度計の清浄装置１の前提となる糸糊付け機の糸糊付け装置２を示している。糸糊付け装置２は、一例として経糸糊付け装置であり、経糸シート３に糊付けするために、糊液４を収納するための糊付け槽５、この糊付け槽５に調整した糊液４を供給するための糊液調整槽６、一対の糊付けロール７、一対の絞りロール８などを備えている。
【００１１】
経糸シート３は、ガイドロール９を経て、一対の糊付けロール７の間に巻きかけられて、糊付け槽５の内部の糊液４に浸って糊付けされ、つぎに一対の絞りロール８の間で絞られる。この過程で、経糸シート３の糊液４は、経糸シート３の繊維の内部まで浸透する。
【００１２】
糊付け後に、経糸シート３は、乾燥装置１０に移り、乾燥経路を分けられて、前段の複数の乾燥シリンダ１１や案内ロール１２を経て、後段の複数の乾燥シリンダ１１、案内ロール１３を経て、デバイデングロッド１６により上下にさばかれ、案内ロール１４経由で巻取りビーム１５に巻かれて行く。
【００１３】
図２は、糊液４の供給・還流経路とともに、本発明の糊濃度計の清浄装置１の組み込み位置を示している。糊液４は、補給糊液タンク１７の内部に収納されており、補給パイプ１８の電磁開閉弁１９の開閉によって、糊液調整槽６に供給される。電磁開閉弁１９は、後述の糊液制御装置２０によって、オンオフ制御される。糊液制御装置２０は、例えばフロート式の液面センサー２１により糊液調整槽６内の糊液４の糊液面の上限レベルおよび下限レベルを検出し、そのレベルに応じて電磁開閉弁１９を開閉して、糊液４を糊液調整槽６に供給し、また供給を停止する。なお、液面センサー２１は、フロート式でなく、糊液面に向けて超音波を出し、糊液面から反射して帰ってくるまでの時間を計測する方式の超音波式のものにより構成することもできる。
【００１４】
糊液調整槽６の内部の糊液４は、糊液調整槽６の底部と糊付け槽５の底部とに接続されている還流パイプ２２、還流パイプ２２の途中に接続されている接触式糊濃度計３０を経て、還流用のポンプ２３によって常に糊付け槽５に供給されている。糊付け槽５の内部に供給された糊液４は、糊付け槽５のオーバーフロー堰２４から溢れ出て、糊液調整槽６に戻される。このようにして、糊液４は、糊付け槽５および糊液調整槽６を還流し、適切な糊濃度に調整されている。
【００１５】
そして、本発明の糊濃度計の清浄装置１は、接触式糊濃度計３０を清浄対象とし、接触式糊濃度計３０の検出面２９に対向させて清浄用の噴射ノズル３２を有している。接触式糊濃度計３０は、糊濃度計ホルダ３３に固定されており、その検出部３１を糊濃度計ホルダ３３の内部に臨ませ、検出面２９を糊液４に接触させている。また、噴射ノズル３２は、糊濃度計ホルダ３３に対して接触式糊濃度計３０とともに、糊液４の流れ方向と交差する状態で検出面２９に向けて取り付けられている。糊濃度計ホルダ３３の内部で、噴射ノズル３２の先端は、糊濃度計ホルダ３３内で糊液４の通過を許容する間隔をあけて、糊液４側の検出面２９と対向している。なお、糊濃度計ホルダ３３は、糊液還流系統のポンプ２３の上流で還流パイプ２２の途中に接続されている。
【００１６】
清浄用の噴射ノズル３２は、清浄時に、高温高圧の水蒸気３４ａを水蒸気源３５、供給パイプ３６、清浄制御用の電磁開閉弁２５および絞り弁２７から取り込み、水蒸気３４ａを検出面２９に向け噴射することにより、検出面２９を清浄する。ここで、高温高圧の水蒸気源３５、供給パイプ３６、電磁開閉弁２５、絞り弁２７は、高温高圧の水蒸気３４ａの供給装置４９を構成している。高温高圧の水蒸気３４ａは、糊液４に吸収されても、糊液質を大幅に変質したり、糊液中の異物とならない点で有利である。
【００１７】
なお、水蒸気３４ａは、供給パイプ３６の途中で分岐し、電磁開閉弁２６を経てさらに分岐し、供給パイプ３７および絞り弁２８、３８により、糊付け槽５の内部の水蒸気噴射ノズル３９や糊液調整槽６の内部の水蒸気噴射ノズル４０に送られるようになっている。ここで、水蒸気源３５、供給パイプ３６、供給パイプ３７、絞り弁２８、３８および水蒸気噴射ノズル３９、４０は、糊液加熱装置４１を構成している。なお、高温高圧の水蒸気源３５は、高温高圧水蒸気の供給装置４９と糊液加熱装置４１とに共通に利用されている。
【００１８】
つぎに、図３は、糊濃度計の清浄装置１の要部を示している。接触式糊濃度計３０は、光学式糊濃度計であり、糊濃度計ホルダ３３に対して、糊液４の流れ方向と交差する状態で取り付けられ、検出面２９を流れる糊液４に接触させている。光学式糊濃度計の検出面２９は、台形のプリズム４２の上底面つまりプリズム４２の糊液４側の面により形成されており、光学式糊濃度計内の光源４３から照射された光４４は、糊液４よりも大きい屈折率のプリズム４２の下底面から内部に入り、側面、上底面（検出面２９）を全反射して受光器４５に入るほか、入射角によっては上底面（検出面２９）を全反射せず、糊液４に進む。
【００１９】
糊濃度の測定時に、接触式糊濃度計（光学式糊濃度計）３０は、検出面２９に光４４を照射して、プリズム４２の検出面２９からから糊液４へ入射させ、検出面２９で全反射する入射角と、検出面２９で屈折して糊液４中を進む入射角との間の臨界入射角を測定して、プリズム４２に対する糊液４の屈折率を測定し、測定した屈折率を糊濃度検出装置４６に出力する。糊濃度は、前記のように、糊液４の密度に比例する。そこで、糊濃度検出装置４６は、入力された屈折率から糊液４の密度を検出し、この密度から糊濃度を演算により算出する。
【００２０】
図４は、糊液４の供給・還流経路とともに、糊液制御装置２０による電磁開閉弁１９、２５、２６の制御系を示している。糸糊付け装置２の稼働中に、糊液制御装置２０は、液面センサー２１により、糊液調整槽６の内部の糊液４の糊液面高さを測定し、下限レベルを検出したときに、電磁開閉弁１９を駆動して開放状態に設定することにより、補給糊液タンク１７の内の糊液４を糊液調整槽６に供給する。この供給によって、糊液調整槽６の内部の糊液４の液面が上限レベルまで上昇したとき、液面センサー２１は、上限レベルを検出して、それに対応する出力信号を糊液制御装置２０に送るため、糊液制御装置２０は、開放状態の電磁開閉弁１９を閉じ、糊液４の供給を停止する。
【００２１】
一方、糊液制御装置２０にタイマー４７が双方向に信号交換可能に接続されており、このタイマー４７に清浄時間および清浄開始間隔時間が予め設定されている。
【００２２】
糸糊付け装置２の稼働中において、接触式糊濃度計（光学式糊濃度計）３０は検出部３１を糊液４に接触させ、検出面２９により光学的に糊液４の糊濃度を検出しているが、その間に検出面２９に糊糊成分などが付着して、高濃度糊液層が糊液４側のプリズム面（検出面２９）に形成され、時間と共に高濃度となり、かつ厚くなる。
【００２３】
そこで、タイマー４７は、清浄開始間隔時間の経過ごとに糊液制御装置２０に清浄動作の指令を清浄時間にわたって出力する。なお、清浄開始間隔時間（清浄動作の周期）は、糊液４の状況に応じて、検出面２９に対する糊成分などの付着の程度を考慮して設定される。また、清浄時間は、検出面２９に付着した糊成分などを充分に排出するのに必要な時間として設定される。
【００２４】
清浄動作の指令にもとづいて、糊液制御装置２０は、清浄時間にわたって電磁開閉弁２５を駆動して継続的に開く。これにより、水蒸気源３５からの水蒸気３４ａは、供給パイプ３６、電磁開閉弁２５、絞り弁２７を経て噴射ノズル３２に達する。ここで、噴射ノズル３２は、水蒸気３４ａを検出部３１の検出面２９に向けて噴射し、適切な清浄時間にわたって検出面２９を清浄する。この清浄動作は、検出面２９に対する糊成分などの付着の程度を考慮して周期的に行われる。
【００２５】
すでに記載したように、検出面２９には、糊液４と接触して糊成分などが付着し、時間の経過とともに高濃度糊液層が形成されるが、糊濃度計の清浄装置１の噴射ノズル３２からの高温高圧の水蒸気３４ａの噴射により、高濃度糊液層は、検出面２９から吹き飛ばされて除去される。水蒸気３４ａは高圧であるから、噴射ノズル３２からの水蒸気３４ａの噴射速度が高まり、少量の噴射で糊成分など除去が可能となる。
【００２６】
この清浄動作によって、接触式糊濃度計（光学式糊濃度計）３０の検出面２９に高濃度糊液層が介在せず、検出面２９が糊液４に直に接するため、接触式糊濃度計（光学式糊濃度計）３０は、糊液４の正確な糊濃度を検出することになる。清浄動作中は、糊液制御装置２０から糊液濃度検出装置４６に濃度検出中断の信号が出力されているため、糊液濃度検出装置４６は、清浄動作中の検出値を除外し、これを測定した糊濃度としない。
【００２７】
なお、糊液制御装置２０は、糊液４の補給制御や検出面２９の清浄制御のほかに、糊付け槽５の内の糊液４の温度制御を行う。糊液４の温度は、糊付け槽５の内に設けられている測温計４８により測定される。測温計４８は、糊液４の温度特に上限温度・下限温度に対応した信号を糊液制御装置２０に出力している。
【００２８】
測温計４８が下限温度を検出したとき、糊液制御装置２０は、電磁開閉弁２６を駆動して開放状態に設定することにより、水蒸気源３５からの水蒸気３４ａを供給パイプ３７、絞り弁２８、３８を経て、水蒸気噴射ノズル３９、４０から噴射し、糊付け槽５のほか糊液調整槽６の内の糊液４を加熱し、それらの温度を上昇させる。糊液４の温度が上昇して、測温計４８が上限温度を検出したとき、糊液制御装置２０は、電磁開閉弁２６を閉じて、水蒸気噴射ノズル３９、４０からの水蒸気３４ａの噴射を停止する。
【００２９】
この温度制御により、糊液４は、糊付けに適切な温度に維持される。このように、水蒸気３４ａは、高温であることから、糊液４の温度を高め、糊液４の経糸シート３への浸透性を良くする。また、水蒸気３４ａは、糊液４の構成流動体として構成されているから、水蒸気３４ａが糊液４に吸収されても、糊液４が変質したり、糊液４に異物が混入して糸に付着するおそれがない。
【００３０】
つぎに、図５は、接触式糊濃度計（光学式糊濃度計）３０の他の取り付け例を示している。図５で、接触式糊濃度計（光学式糊濃度計）３０は、糊付け槽５にやや上向きに取り付けられ、その検出部３１の検出面２９を糊付け槽５内の糊液４に接触させている。この構成に対応して、清浄用の噴射ノズル３２は、糊付け槽５の底面に取り付けられ、その先端を検出面２９に向けている。なお、接触式糊濃度計（光学式糊濃度計）３０や噴射ノズル３２は、糊液調整槽６に設けられていてもよい。
【００３１】
さらに、清浄動作は、糊液４の補給動作と連動して行ってもよい。液面センサー２１により、糊液面の下限レベルへの到達が検出されたとき、糊液制御装置２０は、糊液４の補給動作を開始するが、この補給動作毎に、噴射ノズル３２により高温高圧の水蒸気３４ａの噴射を開始する。この場合、糊液面の下限レベルと上限レベルの間隔を調整することにより、清浄動作の周期（時間の間隔）が調整でき、糊液４の消費に応じて清浄動作をすることにより、ほぼ所定時間毎に清浄動作し、糊濃度の検出に影響をおよぼす前に、高濃度糊液層を除去できる。
【００３２】
接触式糊濃度計（光学式糊濃度計）３０による糊濃度検出は、常時行わず、所定の周期にのみを行い、検出時ごとに糊液濃度検出装置に出力してもよい。また、清浄動作は、所定の周期（清浄開始間隔時間）で行わず、糊濃度検出の直前に行ってもよい。
【００３３】
【発明の効果】
請求項１によれば、糊液の温度制御のために水蒸気源からの水蒸気を加熱用の噴射ノズルから噴射させる糸糊付け機の接触式糊濃度計において、接触式糊濃度計の検出面に対向させて清浄用の噴射ノズルを設け、検出面の清浄時に、水蒸気が上記水蒸気源から清浄制御用の開閉弁を介して清浄用の噴射ノズルに供給され、検出面に向けて噴射されることにより、検出面を清浄する。したがって、検出面には、糊液と接触して糊成分などが付着し、高濃度糊液層が形成されるが、糊濃度計の清浄装置の噴射ノズルからの水蒸気の噴射により、高濃度糊液層は、検出面から吹き飛ばされて除去される。よって、検出面には、高濃度糊液層が介在することなく、糊液が接するため、糊濃度計は、正確な糊液の糊濃度を検出することができる。
【００３４】
また、清浄用の噴射ノズルからの噴射に水蒸気を用いているから、水蒸気が糊液に吸収されても、糊液が変質したり、糊液に異物が混入して糸に付着するおそれがない。しかも、高温高圧の糊液加熱用の水蒸気を利用するので、少量の水蒸気の噴射であっても、付着した糊成分などの除去に対し有効に作用し、少量の水蒸気で検出面を清浄することが可能である。
【００３５】
請求項２によれば、測定中に、接触式糊濃度計としての光学式糊濃度計の検出面に糊液の糊成分などが付着し、検出面に高濃度糊液層が形成されると、光学式糊濃度計は、検出面に接する高濃度糊液層の糊濃度を検出し、実際の糊液とは異なる検出値となるが、清浄装置による高濃度糊液層の除去により、実際の糊液の糊濃度を検出することができる。
【００３６】
請求項３によれば、非清浄動作時のみに、接触式糊濃度計の検出値を有効な糊濃度とするから、実際の糊液の糊濃度とは異なるおそれがある検出値を除くことができ、正確な糊濃度を得ることができる。一般に、清浄装置の清浄動作時に、検出面近傍の糊液は、高濃度糊液層の剥がれにより不均質な状態になり、検出面近傍以外の実際の糊液の糊濃度とは異なる値が検出されるおそれれがある。しかし非清浄動作時のみの接触式糊濃度計の検出値を有効な糊濃度とすれば、上記の不具合はなくなる。
【図面の簡単な説明】
【図１】  糸糊付け装置の側面図である。
【図２】  糸糊付け装置の糊液の供給・還流経路および糊濃度計の清浄装置の系統図である。
【図３】  糊濃度計の清浄装置の拡大断面図である
【図４】  糊液の供給・還流経路および制御系のブロック線図である。
【図５】  他の糊濃度計の清浄装置の側面図である。
【符号の説明】
１  糊濃度計の清浄装置
２  糸糊付け装置
３  経糸シート
４  糊液
５  糊付け槽
６  糊液調整槽
７  糊付けロール
８  絞りロール
９  ガイドロール
１０  乾燥装置
１１  乾燥シリンダ
１２  案内ロール
１３  案内ロール
１４  案内ロール
１５  巻取りビーム
１６  デバイデングロッド
１７  補給糊液タンク
１８  補給パイプ
１９  電磁開閉弁
２０  糊液制御装置
２１  液面センサー
２２  還流パイプ
２３  ポンプ
２４  オーバーフロー堰
２５  電磁開閉弁
２６  電磁開閉弁
２７  絞り弁
２８  絞り弁
２９  検出面
３０  接触式糊濃度計
３１  検出部
３２  噴射ノズル
３３  糊濃度計ホルダ
３４ａ  水蒸気
３５  水蒸気源
３６  供給パイプ
３７  供給パイプ
３８  絞り弁
３９  水蒸気噴射ノズル
４０  水蒸気噴射ノズル
４１  糊液加熱装置
４２  プリズム
４３  光源
４４  光
４５  受光器
４６  糊液濃度検出装置
４７  タイマー
４８  測温計
４９  高温高圧水蒸気の供給装置
【図１】
0004338008.tif 000002
【図２】
0004338008.tif 000003
【図３】
0004338008.tif 000004
【図４】
0004338008.tif 000005
【図５】
0004338008.tif 000006